(57)【要約】【課題】絞り部がブレ補正光学系よりも対物側に配置された場合に、連動機構部の追従性が良好でありかつ外径がコンパクトなレンズ鏡筒を提供する。【解決手段】  レンズ鏡筒を、光軸に対して略垂直方向に移動可能に保持されたブレ補正光学系Ｌ４と、前記ブレ補正光学系Ｌ４を、前記光軸に対して略垂直方向に移動させるブレ補正機構部２０と、前記ブレ補正光学系Ｌ４の被写体側に設けられた絞り部３０と、前記ブレ補正光学系Ｌ４よりも像側から入力される絞り駆動力を、前記絞り部３０に伝達する連動機構部５０とを備え、前記連動機構部５０の少なくとも１部は、前記ブレ補正機構部２０内を貫通するようにする。【選択図】  図１
2005266476.tif 000002
【特許請求の範囲】
【請求項１】
光軸に対して略垂直方向に移動可能に保持されたブレ補正光学系と、
前記ブレ補正光学系を、前記光軸に対して略垂直方向に移動させるブレ補正機構部と、
前記ブレ補正光学系の被写体側に設けられた絞り部と、
前記ブレ補正光学系よりも像側から入力される絞り駆動力を、前記絞り部に伝達する連動機構部とを備え、
前記連動機構部の少なくとも１部は、前記ブレ補正機構部内を貫通していること
を特徴とするレンズ鏡筒。
【請求項２】
請求項１に記載のレンズ鏡筒において、
前記ブレ補正機構部は、前記ブレ補正光学系の外周側に周方向に沿ってそれぞれ配列された前記ブレ補正光学系を駆動するアクチュエータ部、前記ブレ補正光学系の位置を検出する位置検出部及び前記ブレ補正光学系をガイドするガイド機構部とを含み、
前記連動機構部の少なくとも１部は、前記アクチュエータ部、前記位置検出部、前記ガイド機構部のうち２つの間に配置されていること
を特徴とするレンズ鏡筒。
【請求項３】
請求項１に記載のレンズ鏡筒において、
前記ブレ補正機構部は、
前記ブレ補正光学系を、前記光軸と略直交する第１の方向に駆動する第１のアクチュエータ部と、
前記光軸に対して、前記第１のアクチュエータ部の対称側に設けられ、前記ブレ補正光学系の前記第１の方向の位置を検出する第１の位置検出部と、
前記ブレ補正光学系を、前記光軸及び前記第１の方向とそれぞれ略直交する第２の方向に駆動する第２のアクチュエータ部と、
前記光軸に対して、前記第２のアクチュエータ部の対称側に設けられ、前記ブレ補正光学系の前記第２の方向の位置を検出する第２の位置検出部とを有し、
前記連動機構部の少なくとも１部は、前記第１のアクチュエータ部と前記第２の位置検出部との間、又は、前記第２のアクチュエータ部と前記第１の位置検出部との間に配置されていること
を特徴とするレンズ鏡筒。
【請求項４】
請求項１から請求項３までのいずれか１項に記載のレンズ鏡筒において、
前記連動機構部の少なくとも１部が、通常撮影時に前記光軸に対して上側に配置されていること
を特徴とするレンズ鏡筒。
【発明の詳細な説明】
【技術分野】
【０００１】
本発明は、レンズ鏡筒に関し、特に、ブレ補正機構部を備えたレンズ鏡筒に関するものである。
【背景技術】
【０００２】
例えば、レンズ交換式の一眼レフ型デジタルカメラ又はフィルムカメラ等に用いられる交換用のレンズ鏡筒は、その内部に複数のレンズを含むレンズ群が備えられ、これらレンズ群の一箇所に、絞り部が配置されている。
【０００３】
絞り部は、撮像部への露光量を調節するものであり、通常、複数毎の金属薄片を、内側が略円形になるように重ねて構成され、この円の径は変更可能となっている。
一眼レフ型カメラ用に用いられるレンズ鏡筒は、絞り部が自動絞りとなっており、撮影時以外は絞りが開放状態に維持され、露光開始の直前に撮影時絞り値まで絞り込まれ、露光終了後に自動的に開放状態に復帰するようになっている。
【０００４】
このような自動絞りは、例えば、バネによって絞り羽根を小絞り側（ｆ値が大きい側）に付勢し、レンズ鏡筒をカメラボディに装着した時は、カメラボディ側の絞り連動レバーが、レンズ鏡筒に内蔵された絞り連動機構を介して、撮影時以外は絞りを開放状態に保持している。そして、露光の直前に、カメラボディ側の絞り連動レバーが、絞りの保持を解除することによって、絞りは予め設定された撮影時絞り値まで自動的に絞り込まれ、この状態で露光が行われる。そして、露光が終了すると、カメラボディ側の絞り連動レバーは、絞り連動機構を介して、絞り部を開放状態に復帰させる。
【０００５】
一方、レンズ鏡筒は、手ぶれ等の振動による画質の劣化を低減するため、ブレ補正機能が備えられることがある。このようなレンズ鏡筒は、例えば、光軸に対して略垂直に移動可能であるブレ補正レンズ群と、ブレ補正レンズ群を光軸に対して略垂直に移動させるブレ補正機構部とを有する。特許文献１は、このようなブレ補正機構部を備えたレンズ鏡筒を記載している。
【０００６】
ところで、絞り部がブレ補正レンズ群よりも対物側（レンズ鏡筒の先端側）に配置されたレンズ鏡筒は、絞り連動機構が、ブレ補正機構部の外径側を迂回して配置しなければならず、レンズ鏡筒の外径が大きくなってしまう。
また、この場合に、絞り連動機構の動作時のモーメントが大きくなるから、絞込み時におけるボディ側の絞り駆動部への追従性が低下するおそれがある。この追従性が不十分であると、絞りが撮影時絞り値まで絞り込まれないおそれがあり、露出ムラを生じさせる原因となる。
このような影響は、光束が太く、ブレ補正レンズ群の外径が大きい大口径（光学系の開放Ｆ値が小）のレンズにおいて特に顕著となる。
【特許文献１】特開平７−１８１３５８号公報
【発明の開示】
【発明が解決しようとする課題】
【０００７】
本発明の課題は、絞り部がブレ補正光学系よりも対物側に配置された場合に、外径がコンパクトでありかつ連動機構部の追従性が良好なレンズ鏡筒を提供することである。
【課題を解決するための手段】
【０００８】
本発明は、以下のような解決手段により、前記課題を解決する。なお、理解を容易にするために、本発明の実施形態に対応する符号を付して説明するが、本発明はこれに限定されるものではない。
【０００９】
請求項１の発明は、光軸に対して略垂直方向に移動可能に保持されたブレ補正光学系（Ｌ４）と、前記ブレ補正光学系（Ｌ４）を、前記光軸に対して略垂直方向に移動させるブレ補正機構部（２０）と、前記ブレ補正光学系（Ｌ４）の被写体側に設けられた絞り部（３０）と、前記ブレ補正光学系（Ｌ４）よりも像側から入力される絞り駆動力を、前記絞り部（３０）に伝達する連動機構部（５０）とを備え、前記連動機構部（５０）の少なくとも１部は、前記ブレ補正機構部（２０）内を貫通していることを特徴とするレンズ鏡筒である。
【００１０】
請求項２の発明は、請求項１に記載のレンズ鏡筒において、前記ブレ補正機構部（２０）は、前記ブレ補正光学系Ｌ４の外周側に周方向に沿ってそれぞれ配列された前記ブレ補正光学系を駆動するアクチュエータ部（２２）、前記ブレ補正光学系（Ｌ４）の位置を検出する位置検出部（２３）及び前記ブレ補正光学系をガイドするガイド機構部（２４）とを含み、前記連動機構部（５０）の少なくとも１部は、前記アクチュエータ部（２２）、前記位置検出部（２３）、前記ガイド機構部（２４）のうち２つの間に配置されていることを特徴とするレンズ鏡筒である。
【００１１】
請求項３の発明は、請求項１に記載のレンズ鏡筒において、前記ブレ補正機構部（２０）は、前記ブレ補正光学系（Ｌ４）を、前記光軸と略直交する第１の方向に駆動する第１のアクチュエータ部（２２Ｈ）と、前記光軸に対して、前記第１のアクチュエータ部（２２Ｈ）の対称側に設けられ、前記ブレ補正光学系（Ｌ４）の前記第１の方向の位置を検出する第１の位置検出部（２３Ｈ）と、前記ブレ補正光学系（Ｌ４）を、前記光軸及び前記第１の方向とそれぞれ略直交する第２の方向に駆動する第２のアクチュエータ部（２２Ｖ）と、前記光軸に対して、前記第２のアクチュエータ部（２２Ｖ）の対称側に設けられ、前記ブレ補正光学系（Ｌ４）の前記第２の方向の位置を検出する第２の位置検出部（２３Ｖ）とを有し、前記連動機構部（５０）の少なくとも１部は、前記第１のアクチュエータ部（２２Ｈ）と前記第２の位置検出部（２３Ｖ）との間、又は、前記第２のアクチュエータ（２２Ｖ）と前記第１の位置検出部（２３Ｈ）との間に配置されていることを特徴とするレンズ鏡筒である。
【００１２】
請求項４の発明は、請求項１から請求項３までのいずれか１項に記載のレンズ鏡筒において、前記連動機構部（５０）の少なくとも１部が、通常撮影時に前記光軸に対して上側に配置されていることを特徴とするレンズ鏡筒である。
【発明の効果】
【００１３】
本発明によれば、絞り連動機構部の１部を、ブレ補正機構部内に貫通させているから、レンズ鏡筒の外径をコンパクトにすることができ、また、絞り連動機構部が動作するときのモーメントを軽減できるから、その追従性を向上することができる。
【発明を実施するための最良の形態】
【００１４】
本発明は、絞り部がブレ補正光学系よりも対物側に配置された場合に、連動機構部の追従性を良好としかつ外径をコンパクトにするという目的を、ブレ補正レンズ群を移動させるブレ補正ユニット内に絞り連動機構部の絞り連動ピンを貫通させることによって実現する。
【実施例】
【００１５】
以下、図面等を参照して、本発明の実施例をあげて、さらに詳しく説明する。
図１は、本発明を適用したレンズ鏡筒の実施例の横断面図である。図２は、図１のII部拡大図である。図３は、図２のIII−III部矢視図である。図４は、図２のIV−IV部矢視図である。図５は、図２のV−V部矢視図である。
【００１６】
図１に示すように、レンズ鏡筒１０は、円筒状に形成され、その対物側から順に、第１群Ｌ１、第２群Ｌ２、第３群Ｌ３、第４群Ｌ４の４群のレンズ群が収容されている。なお、第４群Ｌ４は、光軸方向に略垂直な方向に移動可能に保持されたブレ補正レンズ（ＶＲレンズ）群である（以下、「第４群」に代えて、「ＶＲレンズ群」と称する。）。
なお、図３から図５までの各図においては、鏡筒１０は図示を省略する。
【００１７】
また、レンズ鏡筒１０は、ブレ補正機構部であるＶＲユニット２０と、絞り部３０と、マウント部４０と、絞り連動機構部５０とを有する。
ＶＲユニット２０は、撮影時にＶＲレンズ群Ｌ４を移動させて、鏡筒のブレに起因する撮影画像への影響を低減するものである。
絞り部３０は、露光量を調整するため、通過する光量を制限するものである。
マウント部４０は、図示しないレンズ交換式カメラのカメラボディに、レンズ鏡筒１０を着脱可能に装着するものである。
絞り連動機構部５０は、カメラボディに内蔵された図示しないアクチュエータと、絞り部３０とを連動させるリンク機構である。
以下、各部についてより詳細に説明する。
【００１８】
図２及び図３に示すように、ＶＲユニット２０は、ＶＲレンズ室２１と、アクチュエータ２２と、位置センサ（ＰＳＤ）２３と、ガイド機構２４と、ＶＲ固定筒２５と、ＶＲ固定筒押さえ筒２６と、摺動コマ２７とを備えている。
ＶＲレンズ室２１は、ＶＲレンズ群Ｌ４を保持するものであり、各レンズが収容される円筒状部２１ａと、その外周面につば状に張り出したフランジ部２１ｂとを備えている。
アクチュエータ２２は、ＶＲレンズ群Ｌ４を、その光軸方向と略直交する方向に駆動するものであり、コイル２２ａと、マグネット２２ｂと、ヨーク２２ｃと、ヨーク固定ビス２２ｄとを含む。
コイル２２ａは、ＶＲレンズ室２１のフランジ部に固定されている。
マグネット２２ｂは、コイル２２ａを挟んで両側に設けられ、それぞれコイル２２ａと微小な隙間を隔てて対向している。
ヨーク２２ｃは、上述した各マグネット２２ｂをそれぞれ固定するものであり、ヨーク固定ビス２２ｄは、このヨーク２２ｃを固定するものである。
【００１９】
図３に示すように、アクチュエータ２２は、撮像画面の縦方向、横方向のブレを補正する方向にそれぞれＶＲレンズ群Ｌ４を駆動するため、１組が設けられている。以下、縦方向のブレ補正用のものをアクチュエータ２２Ｖ、横方向のブレ補正用のものをアクチュエータ２２Ｈと称して説明する。
アクチュエータ２２Ｖ，２２Ｈは、光軸Ｏ回りの角度において、略９０度離れた位置にそれぞれ設けられ、アクチュエータ２２Ｖは、通常位置の撮影時にレンズ鏡筒１０の上側に配置され、アクチュエータ２２Ｈは、カメラボディ側から見てレンズ鏡筒１０の左側に配置されている。
【００２０】
位置センサ２３は、ＶＲレンズ群Ｌ４の、光軸に対して略垂直方向における位置を検出するものであり、撮影画面の縦方向の位置を検出するもの（以下、符号「２３Ｖ」を付す。）と、横方向の位置を検出するもの（以下、符号「２３Ｈ」を付す。）とを含む。
位置センサ２３Ｖ、２３Ｈは、対応する各アクチュエータ２２Ｖ、２２Ｈの、光軸Ｏに対して対称側にそれぞれ設けられている。
【００２１】
ＶＲレンズガイド機構（以下、「ガイド機構」と称する。）２４は、位置センサ２３Ｖ、２３Ｈの間に設けられている。ガイド機構２４は、ＶＲレンズ群Ｌ４を、自転を防止するとともに、光軸と略垂直方向に移動可能に保持するものである。さらに、ガイド機構２４は、ＶＲレンズ群Ｌ４のセンターロック機構を備え、これは、レンズ鏡筒１０の不使用時や、又は、ブレ補正機能を用いずに撮影するときに、ＶＲレンズ群Ｌ４が自重で落下しないように、これを保持するものである。
【００２２】
ＶＲ固定筒２５は、ＶＲユニット２０全体の基礎となる固定筒であり、レンズ鏡筒１０に固定されている。
ＶＲ固定筒押さえ筒２６は、ＶＲ固定筒２５に固定され、ガイド機構２４等を保持するものである。
摺動コマ２７は、ＶＲレンズ室２１のフランジ部を、ＶＲ固定筒２５に対して、光軸と略直交する方向に摺動可能に保持するものである。この摺動コマ２７は、レンズ鏡筒１０の像側からＶＲユニット２０を見たときに、アクチュエータ２２Ｖ及び２２Ｈの間と、位置センサ２３Ｈの上方と、位置センサ２３Ｖの左側方にそれぞれ配置されている。
【００２３】
図４に示すように、絞り部３０は、矢車カム板３１と、絞り羽根３２と、蜂の巣板３３と、絞りブロック３４と、押さえ板３５とを備えている。
絞り部３０は、いわゆる虹彩絞りであり、光束が通過する開口の内径を、連続的に可変させるものである。
【００２４】
矢車カム板３１は、鏡筒１０に固定され、絞り羽根３２の枚数と同数のカム溝が放射状に形成されている。
絞り羽根３２は、金属製の薄片を複数毎組み合わせたものであり、個々の薄片は、その一端側が、後述する蜂の巣板３３に揺動可能に軸支され、他端側には、羽根から突き出したダボがかしめられている。このダボは、矢車カム板３１のカム溝内に挿入されている。
蜂の巣板３３は、絞り羽根３２の個々の羽根をそれぞれ軸支する支点が、周方向にわたって複数設けられた円盤であり、光軸回りに回転可能に保持されている。
図２に示すように、絞りブロック３４は、レンズ鏡筒１０に固定されており、矢車カム板３１を保持している。
押さえ板３５は、蜂の巣板３３を、回転可能に保持するものであり、絞りブロック３４に固定されている。
【００２５】
図２及び図５に示すように、マウント部４０は、バヨネットリング４１と、これをレンズ鏡筒１０に固定するマウント固定ビス４２とを備えている。バヨネットリング４１は、カメラボディ側のマウントのフランジ面と接するマウント面と、このマウント面から突き出して形成されたバヨネット爪とがそれぞれ形成されている。
【００２６】
図２及び図５に示すように、絞り連動機構部５０は、絞り連動レバー５１と、Ｃ型ワッシャ５２と、絞り連動レバー付勢バネ５３と、絞り連動ピン５４と、絞り連動ピン付勢バネ５５とを有する。
絞り連動レバー５１は、バヨネットリング４１の内径側に、レンズ鏡筒１０の光軸回りに回転可能に保持される環状部５１ａと、カメラボディ側に突き出し、カメラボディの連動レバーによって駆動されるボディ側連動部５１ｂと、レンズ鏡筒１０の対物側に突き出し、絞り連動ピン５４に係合する連動ピン駆動部５１ｃとを備えている。
なお、これらの環状部５１ａ、ボディ側連動部５１ｂ及び連動ピン駆動部５１ｃは、１枚の平板を型抜きし、曲げ加工することによって一体に形成され、具体的には、ボディ側連動部５１ｂ及び連動ピン駆動部５１ｃを、環状部５１ａのそれぞれ内径側に径方向に張り出した状態で型抜きし、所望の方向に曲げて形成される。
Ｃ型ワッシャ５２は、絞り連動レバー５１を、バヨネットリング４１に対して回転可能に保持する止め輪である。
絞り連動レバー付勢バネ５３は、絞り連動レバー５１を、小絞り側（ｆ値が大きい側）に付勢するものであり、図５に示すように、その両端部を絞り連動レバー５１の環状部５１ａと、バヨネットリング４１とにそれぞれ連結されている。
絞り連動ピン５４は、カメラボディ側の絞り連動レバーの動作を、レンズ鏡筒１０側の絞り連動レバー５１を介して、絞り部３０に伝達するものである。図２に示すように、絞り連動ピン５４は、レンズ鏡筒１０の略光軸方向に沿って延在し、そのマウント側の端部が、絞り連動レバー５１と係合し、レンズ対物側の端部が、絞り部３０の蜂の巣板３３に連結されている。
絞り連動ピン付勢バネ５５は、絞り連動ピン５４を小絞り側に付勢するものである。
【００２７】
図３に示すように、絞り連動ピン５４は、ＶＲレンズ群Ｌ４の外径側の、アクチュエータ２２Ｖと、位置センサ２３Ｈとの間に通されている。そして、ＶＲレンズ室２１、ＶＲ固定筒２５、ＶＲ固定筒押さえ筒２６には、それぞれ絞り連動ピン５４が通される開口が形成されている（ＶＲ固定筒押さえ筒２６の開口２６ａのみ図示する。）。
【００２８】
これらの各開口は、絞り連動ピン５４が、レンズ鏡筒１０の光軸回りに揺動したときに、その開口縁が絞り連動ピン５４に干渉しないように、円弧上の長穴に形成されている。さらに、ＶＲレンズ室２１の開口は、ブレ補正機能によってそれがレンズ鏡筒１０に対して変位しても、絞り連動ピン５４に干渉しないように、他の開口よりも大きく形成されている。
【００２９】
次に、上述した絞り連動機構部５０の動作について説明する。
レンズ鏡筒１０は、カメラボディに装着されていない状態では、絞り部３０は、絞り連動レバー付勢バネ５３及び絞り連動レバー付勢バネ５５によって小絞り側に保持されている。
【００３０】
レンズ鏡筒１０を、カメラボディに装着すると、絞り連動レバー５１が、カメラボディ側の絞り連動レバーによって、絞り部３０を開放する側に押され、これによって絞り部３０は開放状態となる。
【００３１】
撮影時に、カメラボディのレリーズスイッチがオンになると、露光の開始に先立ち、カメラボディ側の絞り連動レバーが、設定された撮影時絞り値に対応する位置まで絞り部３０を開く方向に退避する。これによって、絞り部３０は、絞り連動レバー付勢バネ５３及び絞り連動ピン付勢バネ５５の付勢力によって、撮影時絞り値まで絞り込まれる。
【００３２】
露光が終了すると、絞り連動レバー５１は、再びカメラボディ側の絞り連動レバーによって、絞り部３０を開放する側に押され、これによって絞り部３０は、開放状態に復帰する。
【００３３】
以上のように、本実施例によれば、絞り連動ピン５４が、ＶＲユニット２０内のアクチュエータ２２Ｖと、位置センサ２３Ｈとの間を貫通しているから、レンズ鏡筒１０の大径化を防止できる効果がある。
また、連動機構部５０は、その動作時のモーメントが、ＶＲユニット２０の外径側を迂回する場合よりも小さくなるから、追従性を向上することができる。
【００３４】
また、絞り連動ピン５４が、通常撮影時に光軸の上方に配置されているのに対し、上方から入光する太陽光線等は、主にレンズ鏡筒１０の下方を通過するから、絞り連動ピン５４の表面での光線の反射に起因するゴーストの発生が低減される。
さらに、絞り連動ピン５４は、カメラボディの下部に設けられる縦位置撮影用グリップを用いて撮影するときに、撮影者側から見て光軸の左上側に位置することになるから、縦位置撮影のときにも上述したゴーストの発生が防止される。
【００３５】
（変形例）
本発明は、以上説明した実施例に限定されることなく、種々の変形や変更が可能であって、それらも本発明の均等の範囲内である。
（１）上述した実施例では、絞り連動ピンをレンズ鏡筒の上方に配置したが、これに限らず、レンズ鏡筒の側方又は下方に配置してもよい。但し、ゴーストを低減することを考慮すると、絞り連動ピンはレンズ鏡筒の上方に配置することが好ましい。
（２）上述した実施例では、絞り連動ピンを、アクチュエータと、これに隣接する位置センサとの間に配置したが、これに限らず、例えばアクチュエータ相互間や、位置センサ相互間に配置してもよい。但し、アクチュエータ相互間に配置する場合は、絞り連動ピンが遥動するのに十分なスペースを確保することが困難であり、また、位置センサ相互間に配置する場合は、ガイド機構を配置する場所を他に確保する必要がある。
【図面の簡単な説明】
【００３６】
【図１】本発明を適用したレンズ鏡筒の実施例の横断面図である。
【図２】図１のII部拡大図である。
【図３】図２のIII−III部矢視図である。
【図４】図２のIV−IV部矢視図である。
【図５】図２のV−V部矢視図である。
【符号の説明】
【００３７】
１０    レンズ鏡筒
Ｌ１    レンズ第１群
Ｌ２    レンズ第２群
Ｌ３    レンズ第３群
Ｌ４    レンズ第４群（ＶＲレンズ群）
２０    ＶＲユニット
２１    ＶＲレンズ室
２２（２２Ｖ、２２Ｈ）    アクチュエータ
２２ａ  コイル
２２ｂ  マグネット
２２ｃ  ヨーク
２２ｄ  ヨーク固定ビス
２３（２３Ｖ、２３Ｈ）    位置センサ
２４    ガイド機構
２５    ＶＲ固定筒
２６    ＶＲ固定筒押さえ筒
２７    摺動コマ
３０    絞り部
３１    矢車カム板
３２    絞り羽根
３３    蜂の巣板
３４    絞りブロック
３５    押さえ板
４０    マウント部
４１    バヨネットリング
４２    マウント固定ビス
５０    絞り連動機構部
５１    絞り連動レバー
５２    Ｃ型ワッシャ
５３    絞り連動レバー付勢バネ
５４    絞り連動ピン
５５    絞り連動ピン付勢バネ
【図１】
2005266476.tif 000003
【図２】
2005266476.tif 000004
【図３】
2005266476.tif 000005
【図４】
2005266476.tif 000006
【図５】
2005266476.tif 000007